(57)【要約】【課題】各アンテナで受信した信号をＡＧＣアンプを用いて増幅した場合でも、アダプティブアレイ送信時、通信相手に対する適切な送信アンテナ・パターンを形成可能な無線通信装置および無線通信方法を提供する。【解決手段】受信用アダプティブアレイ処理部１４は、増幅された複数の受信信号をアダプティブアレイ受信処理する。ＡＧＣ制御回路１９は、出力レベルが基準値と等しくなるよう、ＡＧＣアンプ２４ａ〜２４ｄの利得を制御するためのＡＧＣ電圧を出力する。受信用アダプティブアレイ処理部１４は、各アンテナに対応する受信ウェイト係数を算出する受信ウェイトベクトル計算機を含む。受信ウェイト補正部２０は、算出された各受信ウェイト係数を、対応するＡＧＣアンプへのＡＧＣ電圧に基づいて補正する。送信用アダプティブ処理部１７は、補正後の各受信ウェイト係数を用いてアダプティブアレイ送信処理を行う。【選択図】図１
2013115557.tif 000002
【特許請求の範囲】
【請求項１】
複数のアンテナと、
それぞれが、対応するアンテナからの受信信号を増幅し、ＡＧＣ電圧に基づいて利得が変化する複数の可変利得増幅器と、
前記増幅された複数の受信信号をアダプティブアレイ受信処理して、所望の信号を抽出するアダプティブアレイ受信処理部と、
各可変利得増幅器の出力レベルを検出して、前記出力レベルが基準値と等しくなるよう前記各可変利得増幅器の利得を制御するためのＡＧＣ電圧を出力するＡＧＣ制御回路とを備え、
前記アダプティブアレイ受信処理部は、前記増幅された複数の受信信号と参照信号とに基づいて、各アンテナに対応する受信ウェイト係数を算出する受信ウェイトベクトル計算機を含み、
受信ウェイトベクトル計算機で算出された各受信ウェイト係数を、対応する可変利得増幅器へのＡＧＣ電圧に基づいて補正する受信ウェイト補正部と、
前記受信ウェイト補正部により補正された各受信ウェイト係数に基づいて、送信信号のアダプティブアレイ送信処理を行うアダプティブアレイ送信処理部とを備えた無線通信装置。
【請求項２】
前記無線通信装置は、
ＡＧＣ電圧と、前記ＡＧＣ電圧で動作するときに前記可変利得増幅器によってもたらされる信号の位相変化と基準値との差である位相差の対応を定めたテーブルを記憶する記憶部を備え、
前記受信ウェイト補正部は、前記テーブルを参照して、各受信ウェイト係数に対応する可変利得増幅器へのＡＧＣ電圧に対応する位相差を特定して、前記特定した位相差を前記各受信ウェイト係数の位相に加算する、請求項１記載の無線通信装置。
【請求項３】
前記複数の可変利得増幅器の特性は、同一であり、
前記テーブルは、ＡＧＣ電圧と位相差との対応関係を１つ定め、
前記受信ウェイト補正部は、前記対応関係を前記複数の受信ウェイト係数のすべての補正に共通して用いる、請求項２記載の無線通信装置。
【請求項４】
前記複数の可変利得増幅器の特性は、それぞれ異なり、
前記テーブルは、ＡＧＣ電圧と位相差との対応関係を可変利得増幅器ごとに定め、
前記受信ウェイト補正部は、前記可変利得増幅器ごとの対応関係を用いて、各受信ウェイト係数を補正する、請求項２記載の無線通信装置。
【請求項５】
複数のアンテナと、
それぞれが、対応するアンテナからの受信信号を増幅し、ＡＧＣ電圧に基づいて利得が変化する複数の可変利得増幅器とを備えた無線通信装置におけるアダプティブアレイ受信方法であって、
各可変利得増幅器の出力レベルを検出して、前記出力レベルが基準値と等しくなるよう前記各可変利得増幅器の利得を制御するためのＡＧＣ電圧を出力するステップと、
前記複数の可変利得増幅器で増幅された複数の受信信号と参照信号とに基づいて、各アンテナに対応する受信ウェイト係数を算出する各アンテナに対応する受信ウェイト係数を算出するステップと、
前記増幅された複数の受信信号をアダプティブアレイ受信処理して、所望の信号を抽出するステップと、
前記算出された各受信ウェイト係数を、対応する可変利得増幅器へのＡＧＣ電圧に基づいて補正するステップと、
前記補正された各受信ウェイト係数に基づいて、送信信号のアダプティブアレイ送信処理を行うステップとを備えた、無線通信方法。
【発明の詳細な説明】
【技術分野】
【０００１】
本発明は、無線通信装置および無線通信方法に関する。
【背景技術】
【０００２】
従来から、たとえば特許文献１（特開２００４−２６０５８８号公報）に記載されるようなアダプティブアレイ機能を有する無線通信装置が知られている。
【０００３】
アダプティブアレイ受信では、空間的に離間させて配置された複数のアンテナで受信された各信号を適切に加算合成することにより、希望波の到来方向にビームを有し、かつ干渉波の到来方向にヌルを有する受信アンテナ・パターンを形成して、希望信号を選択的に受信する。一方、アダプティブアレイ送信では、上述の受信アンテナ・パターンを形成した際の受信ウェイトをキャリブレーション補正した後、送信ウェイトとして用いることで、アダプティブアレイ送信時の送信アンテナ・パターンを形成する。
【先行技術文献】
【特許文献】
【０００４】
【特許文献１】特開２００４−２６０５８８号公報
【発明の概要】
【発明が解決しようとする課題】
【０００５】
ところで、アダプティブアレイ方式を採用した無線通信装置において、アンテナごとにＡＧＣアンプを設ける場合がある。これによって、アンテナごとに受信信号のレベルにばらつきがあっても、一定のレベルの信号に増幅することができる。その結果アダプティブアレイ受信部へ入力される信号のレベルを一定のレベルに揃えることができる。
【０００６】
受信信号の位相は、ＡＧＣアンプで処理されることによって変化する。この位相の変化は、ＡＧＣ電圧によって相違する。したがって、複数のＡＧＣアンプのＡＧＣ電圧にばらつきがある場合に、ＡＧＣアンプを経由することによる位相の変化量もばらつくことになる。その結果、位相の変化量が異なる信号がアダプティブアレイ処理されることになり、アダプティブアレイ送信時、通信相手に対する適切な送信アンテナ・パターンを形成できない。
【０００７】
それゆえに、本発明の目的は、各アンテナで受信した信号をＡＧＣアンプを用いて増幅した場合でも、アダプティブアレイ送信時、通信相手に対する適切な送信アンテナ・パターンを形成可能な無線通信装置および無線通信方法を提供することである。
【課題を解決するための手段】
【０００８】
上記課題を解決するために、本発明の無線通信装置は、複数のアンテナと、それぞれが、対応するアンテナからの受信信号を増幅し、ＡＧＣ電圧に基づいて利得が変化する複数の可変利得増幅器と、増幅された複数の受信信号をアダプティブアレイ受信処理して、所望の信号を抽出するアダプティブアレイ受信処理部と、各可変利得増幅器の出力レベルを検出して、出力レベルが基準値と等しくなるよう各可変利得増幅器の利得を制御するためのＡＧＣ電圧を出力するＡＧＣ制御回路とを備える。アダプティブアレイ受信処理部は、増幅された複数の受信信号と参照信号とに基づいて、各アンテナに対応する受信ウェイト係数を算出する受信ウェイトベクトル計算機を含む。無線通信装置は、さらに受信ウェイトベクトル計算機で算出された各受信ウェイト係数を、対応する可変利得増幅器へのＡＧＣ電圧に基づいて補正する受信ウェイト補正部と、受信ウェイト補正部により補正された各受信ウェイト係数に基づいて、送信信号のアダプティブアレイ送信処理を行うアダプティブアレイ送信処理部とを備える。
【発明の効果】
【０００９】
本発明によれば、各アンテナで受信した信号をＡＧＣアンプを用いて増幅した場合でも、アダプティブアレイ送信時、通信相手に対する適切な送信アンテナ・パターンを形成することができる。
【図面の簡単な説明】
【００１０】
【図１】本実施の形態の無線通信装置の構成を表わす図である。
【図２】受信用アダプティブアレイ処理部の構成を示すブロック図である。
【図３】送信用アダプティブアレイ処理部の構成を示すブロック図である。
【図４】ＡＧＧアンプの特性を表わす図である。
【図５】受信信号の位相変化を説明するための図である。
【図６】補正テーブルの例を説明するための図である。
【図７】本実施の形態のＡＧＣアンプの制御および受信ウェイトベクトルの計算の動作手順を表わすフローチャートである。
【発明を実施するための形態】
【００１１】
以下、本発明の実施形態について図面を参照して説明する。
図１は、本実施の形態の無線通信装置の構成を表わす図である。
【００１２】
図１を参照して、この無線通信装置１は、アンテナ２ａ〜２ｄと、ＲＦ回路１１ａ〜１１ｄと、スイッチ（ＳＷ）１２ａ〜１２ｄと、受信回路１３と、受信用アダプティブアレイ処理部１４と、復調部１５と、変調部１６と、送信用アダプティブアレイ処理部１７と、送信回路１８と、制御部２２とを備える。
【００１３】
受信回路１３は、周波数変換部２３ａ〜２３ｄと、ＡＧＣ（Automatic Gain Control）アンプ２４ａ〜２４ｄと、ＡＤＣ（Analog to Digital Converter）２５ａ〜２５ｄとを含む。
【００１４】
周波数変換部２３ａ〜２３ｄは、受信信号の周波数を無線周波数帯からベースバンド処理周波数帯へ変換する。
【００１５】
ＡＧＣアンプ２４ａは、周波数変換部２３ａから出力される受信信号を可変の利得で増幅して出力する。ＡＧＣアンプ２４ａの利得は、ＡＧＣ制御部１９からのＡＧＣ電圧（ＡＧａ）に基づいて変化する。ＡＧＣアンプ２４ｂは、周波数変換部２３ｂから出力される受信信号を可変の利得で増幅して出力する。ＡＧＣアンプ２４ｂの利得は、ＡＧＣ制御部１９からのＡＧＣ電圧（ＡＧｂ）に基づいて変化する。ＡＧＣアンプ２４ｃは、周波数変換部２３ｃから出力される受信信号を可変の利得で増幅して出力する。ＡＧＣアンプ２４ｃの利得は、ＡＧＣ制御部１９からのＡＧＣ電圧（ＡＧｃ）に基づいて変化する。ＡＧＣアンプ２４ｄは、周波数変換部２３ｄから出力される受信信号を可変の利得で増幅して出力する。ＡＧＣアンプ２４ｄの利得は、ＡＧＣ制御部１９からのＡＧＣ電圧（ＡＧｄ）に基づいて変化する。
【００１６】
ＡＤＣ２５ａ〜２５ｄは、ＡＧＣアンプ２４ａ〜２４ｄから出力されるアナログの受信信号をデジタルの受信信号に変換して、受信用アダプティブアレイ処理部１４へ出力する。
【００１７】
送信回路１８は、ＤＡＣ（Digital to Analog Converter）２６ａ〜２６ｄと、アンプ２７ａ〜２７ｄと、周波数変換部２８ａ〜２８ｄとを含む。
【００１８】
ＤＡＣ２６ａ〜２６ｄは、送信用アダプティブアレイ処理部１７から出力されたデジタルの送信信号をアナログの送信信号に変換する。
【００１９】
アンプ２７ａ〜２７ｄは、ＤＡＣ２６ａ〜２６ｄから出力される送信信号を一定の増幅率で増幅する。
【００２０】
周波数変換部２８ａ〜２８ｄは、アンプ２７ａ〜２７ｄから出力される送信信号の周波数をベースバンド処理周波数帯から無線周波数帯へ変換する。
【００２１】
ＲＦ回路１１ａ〜１１ｄは、受信時には、アンテナ２ａ〜２ｄから送られる受信信号のうち所望帯域の信号成分のみを通過させ、通過した信号を増幅して、スイッチ（ＳＷ）１２ａ〜１２ｄへ出力する。ＲＦ回路１１ａ〜１１ｄは、送信時には、スイッチ（ＳＷ）１２ａ〜１２ｄから出力される送信信号を増幅し、増幅された信号のうち所望帯域の信号成分のみを通過させて、アンテナ２ａ〜２ｄへ出力する。
【００２２】
スイッチ（ＳＷ）１２ａ〜１２ｄは、送信時には、送信回路１８から出力される送信信号をＲＦ回路１１ａ〜１１ｄへ出力する。スイッチ（ＳＷ）１２ａ〜１２ｄは、受信時には、ＲＦ回路１１ａ〜１１ｄから出力される受信信号を受信回路１３へ出力する。
【００２３】
受信用アダプティブアレイ処理部１４は、受信回路１３から出力される増幅された複数の受信信号に対し、アダプティブアレイ受信処理を行なう。アダプティブアレイ受信処理とは、複数の受信信号に基づいて、アンテナ２ａ〜２ｄごとの受信係数（ウェイト）からなるウェイトベクトルを計算して適応制御することによって、所望波または干渉波を正確に抽出する処理である。
【００２４】
図２は、受信用アダプティブアレイ処理部の構成を示すブロック図である。
同図を参照して、受信信号ベクトルＸｒ（ｔ）（＝ｘr１（ｔ）、ｘr２（ｔ）、ｘr３（ｔ）、ｘr４（ｔ））は、乗算器３１，３２，３３，３４のそれぞれの一方入力に与えられるとともに、受信ウェイトベクトル計算機３５に与えられる。
【００２５】
受信ウェイトベクトル計算機３５は、後述するアルゴリズムによりアンテナごとのウェイトからなるウェイトベクトルＷ（ｔ）（＝ｗ１（ｔ）、ｗ２（ｔ）、ｗ３（ｔ）、ｗ４（ｔ））を算出し、乗算器３１，３２，３３，３４のそれぞれの他方入力に与える。乗算器３１，３２，３３，３４は、ウェイトベクトルＷ（ｔ）と、対応するアンテナからの受信信号ベクトルＸ（ｔ）とを複素乗算する。ここで、ｗ１（ｔ）、ｗ２（ｔ）、ｗ３（ｔ）、ｗ４（ｔ）は、受信ウェイト係数である。
【００２６】
加算器３７によりその乗算結果の総和Ｙｒ（ｔ）が得られ、このＹｒ（ｔ）は以下のように複素乗算和として表わされる：
Ｙｒ（ｔ）＝Ｗ（ｔ）HＸ（ｔ）
ここで、Ｗ（ｔ）HはウェイトベクトルＷ（ｔ）の複素共役の転置を表わしている。
【００２７】
上述のような複素乗算和の結果Ｙｒ（ｔ）は、受信ウェイトベクトル計算機３５に与えられる。
【００２８】
受信ウェイトベクトル計算機３５は、参照信号が既知の区間では、Ｙｒ（ｔ）と、参照信号メモリ３６に予め記憶されている既知の参照信号ｄ（ｔ）との誤差ｅ（ｔ）を求める。この参照信号ｄ（ｔ）は、プリアンブル（ＰＲ）およびユニークワード（ＵＷ）であり、既知の信号である。
【００２９】
受信ウェイトベクトル計算機３５は、参照信号が既知でない区間では、１シンボル前のウェイトベクトルＷ（ｔ−１）と受信信号Ｘ（ｔ）との複素乗算和から参照信号ｄ（ｔ）を逆算する。つまり、受信ウェイトベクトル計算機３５は、ｄ′（ｔ）＝Ｄｅｔ［Ｗ（ｔ−１）HＸ（ｔ）］とおき、その信号点のＩ，Ｑ信号からユークリッド距離が最短の信号基準点を選出し、その信号基準点を参照信号ｄ（ｔ）とする。そして、受信ウェイトベクトル計算機３５は、このようにして逆算されたｄ（ｔ）とＹｒ（ｔ）の誤差ｅ（ｔ）を求める。
【００３０】
受信ウェイトベクトル計算機３５は、算出された誤差ｅ（ｔ）（＝Ｙｒ（ｔ）−ｄ（ｔ））の２乗を減少させるようウェイト係数を更新させる処理を実行する。アダプティブアレイ受信処理では、このようなウェイトベクトルの更新（ウェイト学習）を、時間や信号電波の伝搬路特性の変動に応じて適応的に行ない、受信信号Ｘ（ｔ）中から所望波または干渉波の信号Ｙｒ（ｔ）を抽出している。
【００３１】
送信用アダプティブアレイ処理部１７は、変調部１６から出力される送信信号に対して、アダプティブアレイ送信処理を行なう。アダプティブアレイ送信処理とは、アダブティブアレイ受信処理により算出したアンテナ２ａ〜２ｄごとの受信係数（ウェイト）からなるウェイトベクトルを用いて、所望の無線端末装置にのみ送信信号が届くように、すなわち送信指向性を形成してアンテナ２ａ〜２ｄに与える信号を生成する処理である。
【００３２】
図３は、送信用アダプティブアレイ処理部の構成を示すブロック図である。同図を参照して、送信信号Ｙｓ（ｔ）は、乗算器４１，４２，４３，４４のそれぞれの一方の入力に与えられる。送信ウェイトベクトル設定機４５は、受信ウェイト補正部２０から、後述する補正後のウェイトベクトルＷ´（ｔ）（＝ｗ１（ｔ）´、ｗ２（ｔ）´、ｗ３（ｔ）´、ｗ４（ｔ）´）を取得し、キャリブレーション補正を行った後、乗算器４１，４２，４３，４４のそれぞれの他方の入力に与える。乗算器４１，４２，４３，４４は、ウェイトベクトルＷ´（ｔ）と、送信信号Ｙｓ（ｔ）とを複素乗算して、乗算結果である送信信号ベクトルＸｓ（ｔ）（＝ｘs１（ｔ）、ｘs２（ｔ）、ｘs３（ｔ）、ｘs４（ｔ））の要素は、ＤＡＣ２６ａ〜２６ｄに送られる。
【００３３】
復調部１５は、受信用アダプティブアレイ処理部１４から出力される受信信号を復調する。
【００３４】
変調部１６は、送信信号を変調して、送信用アダプティブアレイ処理部１７へ出力する。
【００３５】
制御部２２は、ＡＧＣ制御部１９と、受信ウェイト補正部２０と、補正テーブル記憶部２１とを含む。
【００３６】
ＡＧＣ制御部１９は、ＡＧＣアンプ２４ａの出力レベルを検出して、その出力レベルが基準値と等しくなるようＡＧＣアンプ２４ａの利得を制御するためのＡＧＣ電圧（ＡＧａ）をＡＧＣアンプ２４ａへ出力する。ＡＧＣ制御部１９は、ＡＧＣアンプ２４ｂの出力レベルを検出して、その出力レベルが基準値と等しくなるようＡＧＣアンプ２４ｂの利得を制御するためのＡＧＣ電圧（ＡＧｂ）をＡＧＣ２４ｂへ出力する。ＡＧＣ制御部１９は、ＡＧＣアンプ２４ｃの出力レベルを検出して、その出力レベルが基準値と等しくなるようＡＧＣアンプ２４ｃの利得を制御するためのＡＧＣ電圧（ＡＧｃ）をＡＧＣアンプ２４ｃへ出力する。ＡＧＣ制御部１９は、ＡＧＣアンプ２４ｄの出力レベルを検出して、その出力レベルが基準値と等しくなるようＡＧＣアンプ２４ｄの利得を制御するためのＡＧＣ電圧（ＡＧｄ）をＡＧＣ２４ｄへ出力する。
【００３７】
図４は、ＡＧＧアンプの特性を表わす図である。
図４では、ＡＧＣ電圧（ＡＧ）に対応して、ＡＧＣアンプの出力の位相と入力の位相の差（位相変化）を表わしている。ＡＧＣアンプ２４ａ〜２４ｄは、それぞれ異なるＡＧＣ電圧を受ける。したがって、ＡＧＣアンプ２４ａ〜２４ｄの位相変化は、互いに相違する。その結果、ＡＧＣアンプ２４ａ〜２４ｄに入力される前の４つの受信信号の間の位相の相対的な関係が、ＡＧＣアンプ２４ａ〜２４ｄから出力されたときには、維持されず変化する。
【００３８】
図５は、受信信号の位相変化を説明するための図である。
図５では、アンテナ２ａからの受信信号の位相変化に対するアンテナ２ｂ、２ｃ、２ｄからの受信信号の相対的な位相変化が示されている。つまり、アンテナ２ａからの受信信号の位相変化を０にして、アンテナ２ｂ、２ｃ、２ｄからの受信信号の位相変化から、アンテナ２ａからの受信信号の位相変化を減算した値が示されている。
【００３９】
相対的な位相変化がすべて０の場合には、アンテナ２ａ、２ｂ、２ｃ、２ｄからの受信信号の相対的な位相関係は維持されるが、図４に示すように、相対的な位相変化が０ではないので、ＡＧＣアンプ２４ａ〜２４ｄを経由することによってアンテナ２ａ、２ｂ、２ｃ、２ｄからの受信信号の相対的な位相関係が変化する。
【００４０】
４つの受信信号の間の位相の相対的な関係をＡＧＣアンプ２４ａ〜２４ｄに入力される前の状態に戻すために、補正テーブルおよび受信ウェイト補正部が設けられる。
【００４１】
補正テーブル記憶部２１は、補正テーブルを記憶する。
補正テーブルは、図６に示すように、ＡＧＣ電圧（ＡＧ）と、ＡＧＣ電圧で動作するときにＡＧＣアンプによってもたらされる信号の位相変化と基準値Ｒ（図４に示す）との差である位相差θの対応を定める。
【００４２】
本実施の形態では、ＡＧＣアンプ２４ａ、２４、２４ｃ、２４ｄの特性はすべて同一であるとする。したがって、補正テーブルには、ＡＧＣ電圧と位相差との対応関係が１つ定められ、この対応関係がすべての受信ウェイト係数ｗ１（ｔ）、ｗ２（ｔ）、ｗ３（ｔ）、ｗ４（ｔ）の補正に共通して用いられる。
【００４３】
受信ウェイト補正部２０は、受信ウェイトベクトル計算機３５で算出された受信ウェイト係数ｗ１（ｔ）、ｗ２（ｔ）、ｗ３（ｔ）、ｗ４（ｔ）を、それぞれＡＧＣアンプ２４ａ、２４、２４ｃ、２４ｄへのＡＧＣ電圧ＡＧａ、ＡＧｂ、ＡＧｃ、ＡＧｄに基づいて補正する。
【００４４】
受信ウェイト補正部２０は、補正テーブルを参照して、受信ウェイト係数ｗ１（ｔ）、ｗ２（ｔ）、ｗ３（ｔ）、ｗ４（ｔ）に対応するＡＧＣアンプ２４ａ、２４ｂ、２４ｃ、２４ｄへのＡＧＣ電圧ＡＧａ、ＡＧｂ、ＡＧｃ、ＡＧｄに対応する位相差を特定して、特定した位相差を受信ウェイト係数ｗ１（ｔ）、ｗ２（ｔ）、ｗ３（ｔ）、ｗ４（ｔ）の位相に加算する。そして、受信ウェイト補正部２０は、補正後のウェイトベクトルＷ´（ｔ）（＝ｗ１（ｔ）´、ｗ２（ｔ）´、ｗ３（ｔ）´、ｗ４（ｔ）´）を、送信用アダプティブアレイ処理部１７へ出力する。
【００４５】
たとえば、ＡＧＣ２４ａへのＡＧＣ電圧が２．０Ｖのときに、補正テーブルを参照することによって、図４に示すような位相変化と基準値Ｒとの差である位相差θ（２．０）が特定される。受信ウェイトベクトル計算機で算出された受信ウェイト係数ｗ１（ｔ）の位相にこの位相差θ（２．０）が加算される。ＡＧＣ２４ｂへのＡＧＣ電圧が２．２Ｖのときに、補正テーブルを参照することによって、図４に示すような位相変化と基準値Ｒとの差である位相差θ（２．２）が特定される。受信ウェイトベクトル計算機で算出された受信ウェイト係数ｗ２（ｔ）の位相にこの位相差θ（２．２）が加算される。
【００４６】
ＡＧＣ２４ｃへのＡＧＣ電圧が１．８Ｖのときに、補正テーブルを参照することによって、図４に示すような位相変化と基準値Ｒとの差である位相差θ（１．８）が特定される。受信ウェイトベクトル計算機で算出された受信ウェイト係数ｗ３（ｔ）の位相にこの位相差θ（１．８）が加算される。ＡＧＣ２４ｄへのＡＧＣ電圧が２．５Ｖのときに、補正テーブルを参照することによって、図４に示すような位相変化と基準値Ｒとの差である位相差θ（２．５）が特定される。受信ウェイトベクトル計算機で算出された受信ウェイト係数ｗ４（ｔ）の位相にこの位相差θ（２．５）が加算される。
【００４７】
図７は、本実施の形態のＡＧＣアンプの制御および受信ウェイトベクトルの計算の動作手順を表わすフローチャートである。
【００４８】
図７を参照して、ＡＧＣ制御部１９は、ＡＧＣアンプ２４ａ、２４ｂ、２４ｃ、２４ｄの出力レベルを検出して、出力レベルが基準値と等しくなるようＡＧＣアンプ２４ａ、２４ｂ、２４ｃ、２４ｄの利得を制御するためのＡＧＣ電圧ＡＧａ、ＡＧｂ、ＡＧｃ、ＡＧｄを出力する（ステップＳ１０１）。
【００４９】
ＡＧＣアンプ２４ａ、２４ｂ、２４ｃ、２４ｄの利得が収束した後に（ステップＳ１０２でＹＥＳ）、受信ウェイトベクトル計算機３５は、ＡＧＣアンプ２４ａ、２４ｂ、２４ｃ、２４ｄで増幅された複数の受信信号と参照信号とに基づいて、アンテナ２ａ、２ｂ、２ｃ、２ｄに対応する受信ウェイト係数ｗ１（ｔ）、ｗ２（ｔ）、ｗ３（ｔ）、ｗ４（ｔ）を算出する（ステップＳ１０３）。
【００５０】
受信ウェイト補正部２０は、ステップＳ１０３で算出された受信ウェイト係数ｗ１（ｔ）、ｗ２（ｔ）、ｗ３（ｔ）、ｗ４（ｔ）をそれぞれ、補正テーブルを参照することによって、ＡＧＣ電圧ＡＧａ、ＡＧｂ、ＡＧｃ、ＡＧｄに基づいて補正する（ステップＳ１０４）。
【００５１】
以上のように、本実施の形態によれば、ＡＧＣアンプで処理されることによって、複数の受信信号間の相対的な位相関係が変化した場合でも、ＡＧＣ電圧に基づいて受信ウェイト係数を補正することによって、アダプティブアレイ送信時、通信相手に対する適切な送信アンテナ・パターンを形成することができる。
【００５２】
なお、本実施の形態では、複数のＡＧＣアンプ２４ａ、２４ｂ、２４ｃ、２４ｄの特性が同一の場合について説明した。この場合には、補正テーブルは、ＡＧＣ電圧と位相差との対応関係を１つ定め、受信ウェイト補正部２０は、この対応関係を複数の受信ウェイト係数ｗ１（ｔ）、ｗ２（ｔ）、ｗ３（ｔ）、ｗ４（ｔ）のすべての補正に共通して用いた。
【００５３】
一方、複数のＡＧＣアンプ２４ａ、２４ｂ、２４ｃ、２４ｄの特性がそれぞれ異なる場合には、補正テーブルは、ＡＧＣ電圧と位相差との対応関係をＡＧＣアンプごとに定めるものとし、受信ウェイト補正部２０は、ＡＧＣアンプごとの対応関係を用いて、各受信ウェイト係数を補正することとすればよい。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５５】
１  無線通信装置、２ａ〜２ｄ  アンテナ、１１ａ〜１１ｄ  ＲＦ回路、１２ａ〜１２ｄ  スイッチ、１３  受信回路、１４  受信用アダプティブアレイ処理部、１５  復調部、１６  変調部、１７  送信用アダプティブアレイ処理部、１８  送信回路、１９  ＡＧＣ制御部、２０  受信ウェイト補正部、２１  補正テーブル記憶部、２２  制御部、２３ａ〜２３ｄ，２８ａ〜２８ｄ  周波数変換部、２４ａ〜２４ｄ  ＡＧＣアンプ、２５ａ〜２５ｄ  ＡＤＣ、２６ａ〜２６ｄ  ＤＡＣ、２７ａ〜２７ｄ  アンプ、３１〜３４，４１〜４４  乗算器、３５  受信ウェイトベクトル計算機、３６  参照信号メモリ、３７  加算器、４５  送信ウェイトベクトル設定機。
【図１】
2013115557.tif 000003
【図２】
2013115557.tif 000004
【図３】
2013115557.tif 000005
【図４】
2013115557.tif 000006
【図５】
2013115557.tif 000007
【図６】
2013115557.tif 000008
【図７】
2013115557.tif 000009